(57)【要約】      （修正有）【課題】シャーシの強度を確保しつつ、支持脚の取付位置に自由度を有する表示装置及びテレビジョン受信機を提供する。【解決手段】ＢＬシャーシの１７背面の左下部及び右下部に第１補強部材３０及び第２補強部材４０がそれぞれ取り付けてあり、第１補強部材４０には、支持脚１９が連結される連結部材７１，７２，７３が設けてある。左右の第１補強部材４０における連結部材７１，７２，７３のいずれかに２つの支持脚１９がそれぞれ連結され、この支持脚１９にてテレビ本体が支持される。【選択図】図９
2016176980.tif 000002
【特許請求の範囲】
【請求項１】
表示面を一面に有する表示パネルと、該表示パネルを他面側から保持する略矩形の保持板と、該保持板を支持する支持脚とを備える表示装置において、
前記保持板の一面に長手方向に延設され、前記支持脚が連結される複数の連結部を有する第１補強部材と、
該第１補強部材に連設され、前記保持板の短手方向に延びる第２補強部材と
を備えることを特徴とする表示装置。
【請求項２】
前記第２補強部材の長手方向の両端は、スペーサを介して前記保持板の前記一面に取り付けてあり、
前記第２補強部材の一部は、前記第１補強部材に連結されている
ことを特徴とする請求項１に記載の表示装置。
【請求項３】
前記第１補強部材及び第２補強部材は、前記第２補強部材の長手方向の中央部で連結されていることを特徴とする請求項２に記載の表示装置。
【請求項４】
前記第２補強部材は、前記保持板の二短辺に沿ってそれぞれ設けてあり、
前記第１補強部材は、前記保持板の前記二短辺に連なる長辺に沿ってそれぞれ設けてある
ことを特徴とする請求項１から３までのいずれかひとつに記載の表示装置。
【請求項５】
請求項１から４までのいずれかひとつに記載の表示装置と、
テレビジョン放送を受信する受信部とを備え、
該受信部にて受信したテレビジョン放送に基づいて、前記表示装置に映像を表示するようにしてあることを特徴とするテレビジョン受信機。
【発明の詳細な説明】
【技術分野】
【０００１】
本発明は、表示パネルを含む装置本体が支持脚にて支持される表示装置及びテレビジョン受信機に関する。
【背景技術】
【０００２】
液晶ディスプレイ及び液晶テレビジョン等の液晶表示装置が広く普及している。液晶表示装置は、映像を表示する表示面を表側に有する表示パネルと、表示パネルの裏側に配され、表示パネルに対して光を照射する光源装置とを備え、適宜箇所に設けられたスタンドによって表示パネルを立てた状態で支持（設置）される。光源装置には、表示パネルの裏面に発光ダイオード（ＬＥＤ：Light Emitting Diode）等の光源を配し、光源からの光が表示パネルの裏面に照射される直下型方式がある。直下型方式の光源装置には、光源を保持するシャーシの背面（光源を保持する面の裏面）にスタンドが取り付けてあるものがある。このような構成の場合、表示パネル及び光源装置をスタンドにて支持するためにシャーシに十分な強度が必要である。しかし、直下型方式の光源装置では、シャーシに直接光源（例えばＬＥＤ基板）が固定されるので、絞り加工によりリブを立体形成する等による補強をシャーシに施すことができない。
そこで、例えば特許文献１では、シャーシの背面に、シャーシの上端から下端に亘る細長い補強部材を複数本固定し、２本の補強部材の下端にスタンドを取り付けることによってシャーシを補強する構成が提案されている。
【先行技術文献】
【特許文献】
【０００３】
【特許文献１】特許第４６９９０９３号公報
【発明の概要】
【発明が解決しようとする課題】
【０００４】
特許文献１に開示された構成では、シャーシに設けられた補強部材にスタンドが取り付けられるので、スタンドの取付位置が限定され、表示装置のデザインの自由度が低いという問題がある。
【０００５】
本発明は斯かる事情に鑑みてなされたものである。その目的とするところは、シャーシ（保持板）の強度を確保しつつ、スタンド（支持脚）の取付位置に自由度を有する表示装置及びテレビジョン受信機を提供することにある。
【課題を解決するための手段】
【０００６】
本発明に係る表示装置は、表示面を一面に有する表示パネルと、該表示パネルを他面側から保持する略矩形の保持板と、該保持板を支持する支持脚とを備える表示装置において、前記保持板の一面に長手方向に延設され、前記支持脚が連結される複数の連結部を有する第１補強部材と、該第１補強部材に連設され、前記保持板の短手方向に延びる第２補強部材とを備えることを特徴とする。
【０００７】
本発明に係る表示装置は、前記第２補強部材の長手方向の両端は、スペーサを介して前記保持板の前記一面に取り付けてあり、前記第２補強部材の一部は、前記第１補強部材に連結されていることを特徴とする。
【０００８】
本発明に係る表示装置は、前記第１補強部材及び第２補強部材は、前記第２補強部材の長手方向の中央部で連結されていることを特徴とする。
【０００９】
本発明に係る表示装置は、前記第２補強部材は、前記保持板の二短辺に沿ってそれぞれ設けてあり、前記第１補強部材は、前記保持板の前記二短辺に連なる長辺に沿ってそれぞれ設けてあることを特徴とする。
【００１０】
本発明に係るテレビジョン受信機は、上述したいずれかの表示装置と、テレビジョン放送を受信する受信部とを備え、該受信部にて受信したテレビジョン放送に基づいて、前記表示装置に映像を表示するようにしてあることを特徴とする。
【発明の効果】
【００１１】
本発明によれば、保持板を設計変更することなく多様なデザインの支持脚を用いることができるので、表示装置のデザインの自由度が向上する。また、保持板に設けられた補強部材にて表示パネル及び保持板の支持荷重が分散されるので、保持板に加わる力が弱められ、保持板の変形が抑制される。更に、保持板の複数箇所を補強する場合に、同一の補強部材を用いることができるので、補強部材の生産効率がよい。
【図面の簡単な説明】
【００１２】
【図１】実施形態１に係るテレビジョン受信機の斜視図である。
【図２】テレビ本体の分解斜視図である。
【図３】ＢＬシャーシの背面斜視図である。
【図４】第１補強部材の斜視図である。
【図５】第２補強部材の斜視図である。
【図６】ＢＬシャーシの背面の拡大図である。
【図７】図６におけるVII−VII線による断面を含むＢＬシャーシの斜視図である。
【図８】ＢＬシャーシの背面の拡大斜視図である。
【図９】ＢＬシャーシ及び支持脚の連結構造を説明するための斜視図である。
【発明を実施するための形態】
【００１３】
以下に、本発明に係る表示装置及びテレビジョン受信機について、その実施形態を示す図面に基づいて詳述する。
【００１４】
（実施形態１）
実施形態１に係るテレビジョン受信機について説明する。図１は、実施形態１に係るテレビジョン受信機の斜視図であり、図１Ａにはテレビジョン受信機を表示面（以下、正面という）側から見た状態を示し、図１Ｂにはテレビジョン受信機を表示面とは反対側の面（以下、背面という）側から見た状態を示す。本実施形態１のテレビジョン受信機１０は、液晶パネル（表示パネル）１２、液晶パネル１２に光を照射する直下型方式の光源部１６（図２参照）等を有するテレビ本体１０ａと、テレビ本体１０ａを支持する支持脚１９とを備える液晶表示装置である。支持脚１９は、液晶パネル１２を立てた状態でテレビ本体１０ａを支持する。また、テレビジョン受信機１０は、テレビ本体１０ａ内部の適宜箇所に、テレビジョン放送を受信する受信部１０ｂを備えており、受信部１０ｂにて受信したテレビジョン放送に基づいて液晶パネル１２に映像を表示する。
【００１５】
図２は、テレビ本体１０ａの分解斜視図である。本実施形態１のテレビ本体１０ａは、ベゼル１１、液晶パネル１２、パネルシャーシ１３、拡散板１４、反射シート１５、光源部１６、バックライトシャーシ（以下、ＢＬシャーシという）１７、バックキャビネット１８をこの順に重ね、複数箇所をビス等にて締結して構成されている。
液晶パネル１２は、矩形板状であり、画像を表示する矩形状の表示面を一面に有する。ベゼル１１は、液晶パネル１２と同程度の大きさに形成された金属製の矩形枠体であり、液晶パネル１２の表示面側から表示面の周縁に当接する。
【００１６】
パネルシャーシ１３は、液晶パネル１２と同程度の大きさに形成された樹脂製の矩形枠体であり、液晶パネル１２の背面側から液晶パネル１２の周縁に当接する。
拡散板１４は、例えば、アクリル樹脂製又はポリカーボネート樹脂製であり、液晶パネル１２と同程度の大きさに形成された矩形板体である。拡散板１４は、一面から入射された光を均一に分布させて均一な平面光として他面から出射する。拡散板１４の出射面は、拡散シート、ＢＥＦ（Brightness Enhance Film ）シート及び偏光シート等が積層された光学シート（図示せず）を介して液晶パネル１２に対向させてある。拡散シートは、例えば、ＰＥＴ（ポリエチレンテレフタレート）製又はポリカーボネート樹脂製であり、入射された光を拡散（散乱）させる。ＢＥＦシートは、例えば、透明の高分子シートの表面に微小なプリズム又はマイクロレンズ構造を設けて、集光により正面輝度を上昇させる。偏光シートは、例えば、ポリエチレンナフタレート製であり、入射された光を直線偏光に変換する。
【００１７】
反射シート１５は、高反射性を有する合成樹脂製のシートである。反射シート１５は、液晶パネル１２及び拡散板１４と同程度の大きさを有する矩形の浅皿状に形成されており、底面を貫通する複数の孔が２次元マトリクス状に設けられている。
光源部１６は、矩形板状の基板の一面に実装された複数の光源１６ａを備えている。光源１６ａは、例えば発光ダイオード（ＬＥＤ：Light Emitting Diode）であり、図２に示すように、基板の一面に２次元マトリクス状に実装されている。なお、光源部１６は、冷陰極蛍光ランプ（ＣＣＦＬ：Cold Cathode Fluorescent Lamp）、外部電極蛍光ランプ（ＥＥＦＬ：External Electrode Fluorescent Lamp）、熱陰極蛍光ランプ（ＨＣＦＬ：Hot Cathode Fluorescent Lamp）等であってもよい。
【００１８】
ＢＬシャーシ（保持板）１７は、反射シート１５と同程度の大きさ及び形状に形成された金属製部材であり、矩形の底面に光源部１６の基板が、光源１６ａの実装面を正面側として固定されている。よって、ＢＬシャーシ１７は光源部１６を背面側から保持する。
バックキャビネット１８は、ＢＬシャーシ１７よりも若干大きく、同様の矩形浅皿状に形成された樹脂製部材であり、ＢＬシャーシ１７に背面側から当接する。
【００１９】
本実施形態１のテレビジョン受信機１０では、底面に光源部１６が固定されたＢＬシャーシ１７に開口部側から反射シート１５が載置される。反射シート１５の各孔を光源部１６の各光源１６ａが貫通して反射シート１５の底面が光源部１６の基板に当接し、反射シート１５の開口縁がＢＬシャーシ１７の開口縁に当接した状態で、反射シート１５がＢＬシャーシ１７に載置される。これにより、反射シート１５は、光源部１６の各光源１６ａの背面側に配置される。また、反射シート１５の開口部に拡散板１４が載置され、その上にパネルシャーシ１３が載置される。パネルシャーシ１３はＢＬシャーシ１７の周縁に当接し、ＢＬシャーシ１７と共に拡散板１４及び反射シート１５の周縁を挟持する。また、パネルシャーシ１３の上に液晶パネル１２が載置され、その上にベゼル１１が載置される。ベゼル１１はパネルシャーシ１３の周縁に当接し、パネルシャーシ１３と共に液晶パネル１２の周縁を挟持する。更に、ＢＬシャーシ１７の背面側にバックキャビネット１８が配置され、ベゼル１１、パネルシャーシ１３、ＢＬシャーシ１７及びバックキャビネット１８がビス等で固定されてテレビ本体１０ａが構成される。なお、ＢＬシャーシ１７とバックキャビネット１８との間に、受信部１０ｂ、受信部１０ｂで受信したテレビジョン放送に係る信号等を処理する信号処理ユニット、液晶パネル１２を駆動するための駆動ユニット、光源部１６を駆動するための駆動ユニット等が配置されている。
上述した構成により、本実施形態１のテレビジョン受信機１０では、光源部１６の各光源１６ａから照射された光が拡散板１４を通過し、均一な平面光として液晶パネル１２に照射され、液晶パネル１２は、照射光を用いて表示面に映像を表示する。
【００２０】
次に、本実施形態１のテレビジョン受信機１０において、テレビ本体１０ａと支持脚１９との連結構造について説明する。本実施形態１のテレビジョン受信機１０は、ＢＬシャーシ１７の背面（バックキャビネット１８に対向する面）に支持脚１９が取り付けられるように構成してある。
【００２１】
以下に、ＢＬシャーシ１７を補強する補強部材について説明する。図３はＢＬシャーシ１７の背面斜視図である。以下の説明では、図中の上・下及び左・右を使用する。なお、以下の説明における左右方向は、図１Ａにおける左右方向と反対になっている。ＢＬシャーシ１７の背面の左下部及び右下部のそれぞれには、下辺（長辺）に沿って横長の第１補強部材３０が設けてあり、左辺及び右辺（二短辺）にそれぞれ沿って縦長の第２補強部材４０が設けてある。また、ＢＬシャーシ１７の背面には、第１補強部材３０及び第２補強部材４０のほかに補強部材１７ａが設けてある。図３に示す補強部材１７ａは、ＢＬシャーシ１７の上端から下端に亘る長さを有する細長い金属製のアングルであり、左右方向の２箇所に設けられている。
【００２２】
図４は第１補強部材３０の斜視図であり、図５は第２補強部材４０の斜視図であり、図４及び図５には、ＢＬシャーシ１７の背面の左下部に設けてある第１補強部材３０及び第２補強部材４０を拡大して示す。なお、ＢＬシャーシ１７の左下部に設けられる第１補強部材３０及び第２補強部材４０と、右下部に設けられる第１補強部材３０及び第２補強部材４０とは左右対称となっている。よって、ＢＬシャーシ１７の左下部及び右下部にはそれぞれ同一の第１補強部材３０及び第２補強部材４０が取り付け可能であるので、ＢＬシャーシ１７を補強するための補強部材の生産効率がよい。
【００２３】
第１補強部材３０は、例えば図４に示すように、矩形平板に形成された平板部３１の周縁に、該周縁から同方向に立ち上がった後に外向きに張り出す鍔部３２が周設された金属製のアングルである。なお、図４に示す第１補強部材３０では、平板部３１の左端縁には、鍔部３２の代わりに、鍔部３２と同方向に立ち上がる板部３２ａが設けてある。第１補強部材３０は、例えば図３に示すように、ＢＬシャーシ１７の左右方向の長さの１／３程度の長さを有する。
【００２４】
平板部３１には、ネジ孔３０ａ，３０ｂ，３０ｃをそれぞれ有する取付部３５，３６，３７が設けてある。取付部３５（３６，３７）は、上下方向に並ぶ３個のネジ孔３０ａ（３０ｂ，３０ｃ）が左右方向に所定距離を隔てて２列に設けてあり、合計６つのネジ孔３０ａ（３０ｂ，３０ｃ）を有する。図４に示す第１補強部材３０では、左側に取付部３５，３６が設けてあり、右側に取付部３７が設けてある。また平板部３１及び鍔部３２の適宜箇所には、第１補強部材３０をＢＬシャーシ１７にビスで固定するための貫通孔３０ｄ，３０ｅが設けてある。図４に示す第１補強部材３０では、平板部３１の下縁に沿って貫通孔３０ｄが設けてあり、上側及び右側の鍔部３２に貫通孔３０ｅが設けてある。更に平板部３１の左下部には、第１補強部材３０を第２補強部材４０と共にＢＬシャーシ１７にビスで固定するための貫通孔３３が設けてあり、上側の鍔部３２の右端側には、第１補強部材３０を第２補強部材４０に連結するための貫通孔３４が設けてある。なお、平板部３１に設けられる取付部３５，３６，３７の位置及び数は、図４に示した位置及び数に限らない。また、第１補強部材３０をＢＬシャーシ１７に固定するための貫通孔３０ｄ，３０ｅの位置及び数は、図４に示した位置及び数に限らない。
【００２５】
第２補強部材４０は、例えば図５に示すように、細長い矩形平板の左右縁に、同方向に立ち上がった後に外向きに張り出す鍔部がそれぞれ設けられた金属製のアングルである。第２補強部材４０は、例えば図３に示すように、ＢＬシャーシ１７の上下方向の長さの１／３程度の長さを有する。
第２補強部材４０には、長手方向の両端近傍に、第２補強部材４０をＢＬシャーシ１７にビスで固定するための貫通孔４１，４２が設けてある。また、第２補強部材４０には、貫通孔４１，４２のそれぞれからの距離がほぼ均等となる位置（第２補強部材４０のほぼ中央）に、第２補強部材４０と第１補強部材３０とを連結するためのネジ孔４３が設けてある。
【００２６】
次に、上述した構成の第１補強部材３０及び第２補強部材４０と、ＢＬシャーシ１７との連結構造について説明する。図６は、ＢＬシャーシ１７の背面の拡大図であり、ＢＬシャーシ１７の背面の左下部を拡大して示している。図７は、図６におけるVII−VII線による断面を含むＢＬシャーシ１７の斜視図である。以下では、ＢＬシャーシ１７の背面の左下部に取り付けられた第１補強部材３０及び第２補強部材４０についてのみ説明する。
第２補強部材４０は、ＢＬシャーシ１７の左下角から左辺に沿った状態でＢＬシャーシ１７に取り付けられ、第１補強部材３０は、ＢＬシャーシ１７の左下角から下辺に沿った状態でＢＬシャーシ１７に取り付けられる。よって、第２補強部材４０の下半分が第１補強部材３０の左端近傍に重なった状態で、第１補強部材３０及び第２補強部材４０はＢＬシャーシ１７の背面に取り付けられる。
【００２７】
第１補強部材３０及び第２補強部材４０をＢＬシャーシ１７に取り付ける場合、まず、第１補強部材３０及び第２補強部材４０を連結する。具体的には、第１補強部材３０の貫通孔３４及び第２補強部材４０のネジ孔４３を合わせ、第１補強部材３０側から貫通孔３４に挿入したビス６３を第２補強部材４０のネジ孔４３に締結する。第１補強部材３０における貫通孔３３，３４間の距離は、第２補強部材４０における貫通孔４１及びネジ孔４３間の距離と同じにしてあり、第１補強部材３０及び第２補強部材４０が連結された場合、第１補強部材３０の貫通孔３３と第２補強部材４０の貫通孔４１とが重なる。
【００２８】
ＢＬシャーシ１７の背面には、第２補強部材４０の取付位置、具体的には、第２補強部材４０の貫通孔４１，４２に対応する位置に、ネジ孔を有するスペーサ５１，５２がカシメ固定されている。よって、第１補強部材３０の貫通孔３３及び第２補強部材４０の貫通孔４１に挿入したビス６１がスペーサ５１に締結され、第２補強部材４０の貫通孔４２に挿入したビス６２がスペーサ５２に締結されることにより、第２補強部材４０がＢＬシャーシ１７に固定される。また、ＢＬシャーシ１７の背面には、第１補強部材３０の取付位置、具体的には、第１補強部材３０の貫通孔３０ｄ，３０ｅに対応する位置に、ネジ孔を有するスペーサ（図示せず）がカシメ固定されている。第１補強部材３０の貫通孔３０ｄ，３０ｅに挿入したビス６０ｄ，６０ｅがそれぞれ対向するスペーサに締結されることにより、第１補強部材３０がＢＬシャーシ１７に固定される。
【００２９】
次に、支持脚１９の連結構造について説明する。図８は、ＢＬシャーシ１７の背面の拡大斜視図であり、ＢＬシャーシ１７の背面の左下部を拡大して示している。図９は、ＢＬシャーシ１７及び支持脚１９の連結構造を説明するための斜視図である。
第１補強部材３０の取付部３５，３６，３７にはそれぞれ、支持脚１９が連結される連結部材７１，７２，７３が取り付けられる。連結部材７１〜７３は、矩形筒から一側面を取り除き、取り除かれた開口端にそれぞれ外側に張り出す鍔部７１ａ〜７３ａを設け、全体としてハット形の断面を有する金属製部材である。
【００３０】
連結部材７１の２つの鍔部７１ａにはそれぞれ３つの貫通孔（図示せず）が設けてあり、合計で６つの貫通孔は、第１補強部材３０に設けられた取付部３５の６つのネジ孔３０ａにそれぞれ対向する。よって、連結部材７１の貫通孔を取付部３５のネジ孔３０ａにそれぞれ重ね、連結部材７１の貫通孔に挿入したビス６０ａをそれぞれ対向するネジ孔３０ａに締結することにより、連結部材７１が第１補強部材３０の取付部３５に固定される。連結部材７２，７３も同様であり、連結部材７２，７３の貫通孔を取付部３６，３７のネジ孔３０ｂ，３０ｃにそれぞれ重ね、連結部材７２，７３の貫通孔に挿入したビス６０ｂ，６０ｃをそれぞれ対向するネジ孔３０ｂ，３０ｃに締結することにより、連結部材７２，７３が第１補強部材３０の取付部３６，３７に固定される。
【００３１】
第１補強部材３０に固定された連結部材７１（又は７２，７３）に連結される支持脚１９は、図９に示すように、ベース部１９ｂと、ベース部１９ｂの中央に立設された支柱部１９ａとを有する。支柱部１９ａは、連結部材７１〜７３に装着可能な矩形筒状に形成してあり、装着し易いように突出端（上端）が先細の形状に形成されている。ベース部１９ｂの形状は、例えば２つの支持脚１９にてテレビ本体１０ａを十分支持できれば、図１及び図９に示す形状に限らない。
【００３２】
上述した構成の支持脚１９は、図９に矢符で示すように、第１補強部材３０に取り付けられた連結部材７１〜７３のいずれかと第１補強部材３０とに囲まれた空間に支柱部１９ａが下側から装着されることによって取り付けられる。例えば、２つの支持脚１９がそれぞれ、ＢＬシャーシ１７の背面の左右に設けられた第１補強部材３０の連結部材７１〜７３のいずれかに装着される。なお、支柱部１９ａをいずれかの連結部材７１〜７３に装着した後、支柱部１９ａと連結部材７１（又は７２，７３）とをビス等で固定してもよい。
組み立て後のテレビジョン受信機１０では、ＢＬシャーシ１７の背面はバックキャビネット１８にて覆われるので、ＢＬシャーシ１７の背面における支持脚１９の連結構造はユーザからは見えない。
【００３３】
本実施形態１のテレビジョン受信機１０では、支持脚１９は、ＢＬシャーシ１７に設けられた第１補強部材３０に連結される。支持脚１９にてテレビ本体１０ａを支持した場合、テレビ本体１０ａの支持荷重が第１補強部材３０及び第２補強部材４０に分散してＢＬシャーシ１７に伝わる。特に、支持荷重は、第１補強部材３０及び第２補強部材４０がビス６３にて連結される箇所に集中するが、この箇所はＢＬシャーシ１７には固定されていないので、ＢＬシャーシ１７に伝わらない。また、ビス６３による第１補強部材３０及び第２補強部材４０の連結箇所は、ビス６１，６２による第２補強部材４０及びＢＬシャーシ１７の連結箇所のそれぞれからの距離がほぼ均等となる中央位置であるので、ビス６３による連結箇所に加わる力が第２補強部材４０全体で効率よく分散される。よって、ＢＬシャーシ１７に加わる力が弱まり、ＢＬシャーシ１７の変形が抑制される。また、第２補強部材４０の両端がスペーサ５１，５２を介してＢＬシャーシ１７に固定されるので、第２補強部材４０に加わる力によって第２補強部材４０が変形した場合であってもＢＬシャーシ１７に影響を与えない。
【００３４】
例えば、図９に示すＢＬシャーシ１７において、第１補強部材３０に取り付けられた連結部材７１の位置に、第１補強部材３０及び第２補強部材４０を設けずに直接連結部材７１を取り付けて支持脚１９を装着した場合と比較する。ＢＬシャーシ１７に設けられたスペーサに直接連結部材７１を取り付けて支持脚１９を装着した場合、ビス６０ａによる連結部材７１及びＢＬシャーシ１７の連結箇所におけるＢＬシャーシ１７の応力が１メガパスカル（ＭＰａ）であり、スペーサに加わる力が１ニュートン（Ｎ）であったとする。このテレビジョン受信機１０のＢＬシャーシ１７に第１補強部材３０及び第２補強部材４０を取り付けて連結部材７１に支持脚１９を装着した場合、特に第２補強部材４０に力（支持荷重）が分散され、ビス６１，６２による第２補強部材４０及びＢＬシャーシ１７の連結箇所におけるＢＬシャーシ１７の応力は０．２２メガパスカル程度に低減し、スペーサ５１に加わる力は０．２６ニュートン程度に低減することが実験により分かった。
【００３５】
また、本実施形態１のテレビジョン受信機１０では、第１補強部材３０に設けられた連結部材７１〜７３のいずれかに支持脚１９を装着することができるので、支持脚１９の装着位置が限定されず、任意の連結部材７１〜７３を装着位置とすることができる。例えば、２つの支持脚１９を、ＢＬシャーシ１７の左右の第１補強部材３０の連結部材７１（又は７２，７３）にそれぞれ装着することができる。
上述したように、本実施形態１のテレビジョン受信機１０では、ＢＬシャーシ１７の背面に補強部材３０，４０を設けることによりＢＬシャーシ１７の剛性を確保できる。また、テレビ本体１０ａに対する支持脚１９の取付位置が限定されないので、多様なデザインの支持脚１９の使用が可能であり、テレビジョン受信機１０のデザインの自由度が向上する。
【００３６】
（実施形態２）
上述の実施形態１では、本発明の表示装置についてテレビジョン受信機１０を例に説明した。このほかに、本発明の構成は、撮像装置にて撮像された画像データ又はネットワークを介して受信した画像データに基づく画像を表示パネルに表示するデジタルフォトフレーム、予め内部メモリに記憶してあるデータ又はネットワークを介して受信したデータに基づく画像を表示パネルに表示するデジタルサイネージ等にも適用できる。
また、上述の実施形態１では、直下型方式の光源装置を有するテレビジョン受信機１０について説明した。このほかに、本発明の構成は、導光板を備え、導光板の端面から光が入射されるエッジライト方式の光源装置を有する表示装置にも適用できる。なお、この場合、導光板を背面側から保持するＢＬシャーシに第１補強部材３０及び第２補強部材４０が取り付けられる。
【００３７】
（実施形態３）
上述の実施形態１では、図８，図９に示すように、第１補強部材３０の両端側（左右端側）に連結部材７１〜７３が取り付けられている。連結部材７１〜７３の数及び位置は、図８，図９に示した数及び位置に限らず、第１補強部材３０の長手方向の中央に設けられてもよい。連結部材７１〜７３の数及び位置を適切に設定することにより、各ユーザが所望する位置に支持脚１９を取り付けることが可能となり、デザインの自由度が向上する。
【００３８】
本発明に係る表示装置（１０）は、表示面を一面に有する表示パネル（１２）と、該表示パネル（１２）を他面側から保持する略矩形の保持板（１７）と、該保持板（１７）を支持する支持脚（１９）とを備える表示装置（１０）において、前記保持板（１７）の一面に長手方向に延設され、前記支持脚（１９）が連結される複数の連結部（７１，７２，７３）を有する第１補強部材（３０）と、該第１補強部材（３０）に連設され、前記保持板（１７）の短手方向に延びる第２補強部材（４０）とを備えることを特徴とする。
【００３９】
本発明によれば、表示パネルを保持する保持板と、保持板を支持する支持脚とが、第１補強部材及び第２補強部材を介して連結される。支持脚は、第１補強部材に設けられた複数の連結部のいずれかに連結することができるので、支持脚の取付位置が限定されない。また、表示パネル及び保持板が支持脚にて支持された場合、表示パネル及び保持板の支持荷重が第１補強部材及び第２補強部材に分散されるので、保持板に加わる力が弱められる。第１補強部材は保持板の長手方向に長い形状を有し、第２補強部材は保持板の短手方向に長い形状を有するので、前記支持荷重が第１補強部材及び第２補強部材に効率よく分散される。また、例えば保持板の複数箇所を補強する場合に、同一の第１補強部材及び第２補強部材を用いることができ、補強部材の生産効率がよい。
【００４０】
本発明に係る表示装置（１０）は、前記第２補強部材（４０）の長手方向の両端は、スペーサ（５１，５２）を介して前記保持板（１７）の前記一面に取り付けてあり、前記第２補強部材（４０）の一部は、前記第１補強部材（３０）に連結されていることを特徴とする。
【００４１】
本発明によれば、第２補強部材の両端が保持板に取り付けられ、最も強い力が加わる第１補強部材及び第２補強部材の連結箇所は保持板に固定されない。よって、第２補強部材が変形することで保持板に加わる力を弱めることができる。また、第２補強部材の両端がスペーサを介して保持板に固定されることにより、第２補強部材に力が加わって変形した場合であっても保持板に与える影響を抑制できる。
【００４２】
本発明に係る表示装置（１０）は、前記第１補強部材（３０）及び第２補強部材（４０）は、前記第２補強部材（４０）の長手方向の中央部で連結されていることを特徴とする。
【００４３】
本発明によれば、第２補強部材は、長手方向の中央部で第１補強部材に連結されている。即ち、最も強い力が加わる第１補強部材及び第２補強部材の連結箇所が、第２補強部材が保持板に連結される連結箇所（両端）のそれぞれからの距離がほぼ均等となる位置となる。よって、第２補強部材に加わる力が第２補強部材全体で効率よく分散される。
【００４４】
本発明に係る表示装置（１０）は、前記第２補強部材（４０）は、前記保持板（１７）の二短辺に沿ってそれぞれ設けてあり、前記第１補強部材（３０）は、前記保持板（１７）の前記二短辺に連なる長辺に沿ってそれぞれ設けてあることを特徴とする。
【００４５】
本発明によれば、保持板の一長辺の両端部にある２つの角部をそれぞれ第１補強部材及び第２補強部材にて補強できる。
【００４６】
本発明に係るテレビジョン受信機（１０）は、上述したいずれかの表示装置（１０）と、テレビジョン放送を受信する受信部（１０ｂ）とを備え、前記受信部（１０ｂ）にて受信したテレビジョン放送に基づいて、前記表示装置（１０）に映像を表示するようにしてあることを特徴とする。
【００４７】
本発明によれば、テレビジョン受信機においても、支持脚の取付位置が限定されず、また、保持板に加わる力が弱められ、保持板の変形が抑制される。
【００４８】
今回開示された実施形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００４９】
１０  テレビジョン受信機（表示装置）
１２  液晶パネル（表示パネル）
１７  ＢＬシャーシ（保持板）
１９  支持脚
３０  第１補強部材
４０  第２補強部材
５１，５２  スペーサ
７１〜７３  連結部材（連結部）
１０ｂ  受信部
【図１】
2016176980.tif 000003
【図２】
2016176980.tif 000004
【図３】
2016176980.tif 000005
【図４】
2016176980.tif 000006
【図５】
2016176980.tif 000007
【図６】
2016176980.tif 000008
【図７】
2016176980.tif 000009
【図８】
2016176980.tif 000010
【図９】
2016176980.tif 000011